(57)【要約】【課題】必要のないハーフカット動作を行わない。【解決手段】テープカセット８が装着されていなければ（Ｓ４０：ＮＯ）メッセージをディスプレイ２に表示する（Ｓ４１）。テープカセット８が装着されていれば（Ｓ４０：ＹＥＳ）装着されているテープカセット８の種類を検出する（Ｓ４２）。テープカセット８がラベルテープ１１でなければ（Ｓ４３：ＮＯ）印刷、ハーフカット及びハーフカットを行う（Ｓ４４）。テープカセット８がラベルテープ１１であれば（Ｓ４３：ＹＥＳ）ハーフカット動作を禁止し印刷及びフルカットを行う（Ｓ４５）。【選択図】        図８
2004291533.tif 000002
【特許請求の範囲】
【請求項１】
長尺テープ状の印刷媒体として、長尺の支持テープ上に印刷対象であるラベル領域が前記支持テープの長手方向に複数配列されたラベルテープと、長尺テープ状の受像媒体の任意の位置に印刷可能なノーマルテープとが使用可能なテープ印刷装置であって、
前記印刷媒体に対して印刷される面の側から施されるハーフカット位置を記憶するためのハーフカット位置記憶手段と、
使用中の前記印刷媒体の種類を判断するための判断手段と、
使用中の前記印刷媒体が前記ラベルテープであると前記判断手段が判断した場合には、前記ハーフカット位置記憶手段の記憶内容に関係なく、前記ラベルテープに対して前記印刷される面の側からハーフカットが施されるのを禁止するためのハーフカット禁止手段とを備えていることを特徴とするテープ印刷装置。
【請求項２】
使用中の前記印刷媒体が前記ラベルテープであると前記判断手段が判断するか否かに関係なく、前記ハーフカット位置記憶手段への新たなハーフカット位置の書き込みを可能とするためのハーフカット追加手段をさらに備えていることを特徴とする請求項１に記載のテープ印刷装置。
【請求項３】
使用中の前記印刷媒体が前記ラベルテープであると前記判断手段が判断した場合には、前記ハーフカット位置記憶手段への新たなハーフカット位置の書き込みを不能にするためのハーフカット追加不能手段をさらに備えていることを特徴とする請求項１に記載のテープ印刷装置。
【請求項４】
長尺テープ状の印刷媒体として、長尺の支持テープ上に印刷対象であるラベル領域が前記支持テープの長手方向に複数配列されたラベルテープと、長尺テープ状の受像媒体の任意の位置に印刷可能なノーマルテープとが使用可能なテープ印刷装置を、
前記印刷媒体に対して印刷される面の側から施されるハーフカット位置を記憶するためのハーフカット位置記憶手段、
使用中の前記印刷媒体の種類を判断するための判断手段、及び、
使用中の前記印刷媒体が前記ラベルテープであると前記判断手段が判断した場合には、前記ハーフカット位置記憶手段の記憶内容に関係なく、前記ラベルテープに対して前記印刷される面の側からハーフカットが施されるのを禁止するためのハーフカット禁止手段として機能させることを特徴とするプログラム。
【請求項５】
前記テープ印刷装置を、
使用中の前記印刷媒体が前記ラベルテープであると前記判断手段が判断するか否かに関係なく、前記ハーフカット位置記憶手段への新たなハーフカット位置の書き込みを可能とするためのハーフカット追加手段としてさらに機能させることを特徴とする請求項４に記載のプログラム。
【請求項６】
前記テープ印刷装置を、
使用中の前記印刷媒体が前記ラベルテープであると前記判断手段が判断した場合には、前記ハーフカット位置記憶手段への新たなハーフカット位置の書き込みを不能にするためのハーフカット追加不能手段としてさらに機能させることを特徴とする請求項４に記載のプログラム。
【発明の詳細な説明】
【０００１】
【発明の属する技術分野】
本発明は、長尺テープ状の印刷媒体に対して印刷対象データを印刷することができる印刷装置、及びプログラムに関する。
【０００２】
【従来の技術】
裏面に接着剤が予め塗布された粘着性の被印刷シートと剥離紙とが剥離可能に重ね合わされた印刷テープの被印刷シート表面に所望の文字列を印刷する印刷装置が知られている。この種の印刷装置では、テープ表面に表題やタイトル名を、その場でかつきれいに印刷でき、その後書類ファイルの背表紙やビデオテープの背面などに粘着できるなどの使い勝手の良さから、業務用或いは家庭用を問わず広く利用されている。
【０００３】
この種の印刷装置に使用される印刷テープとしては、テープ幅の異なる印刷テープがあるとともに、通常の印刷テープの他に裏面に接着剤が塗布された粘着性の被印刷シートと剥離紙とが剥離可能に重ね合わされ、被印刷シートにはこれを印刷が行われるラベル領域とそれ以外の周囲領域とに分断する切断ラインが予め形成されたラベルテープ等があり、そのテープ種別は多様である。
【０００４】
通常の印刷テープにおいては、印刷後に必要な長さに応じて印刷テープをカットすることになるが、印刷テープがカットされた状態では、被印刷シートと剥離紙とが密着しているために被印刷シートから剥離紙を剥離する作業が煩雑である。そこで剥離シートにカットを施さず被印刷シートのみにカットを施すハーフカット機構を備える印刷装置等が提案されている（特許文献１参照）。印刷テープにハーフカットを施すことにより、印刷テープのハーフカットが施された位置を湾曲させるだけで、剥離紙が被印刷シートの端部から剥離するため、被印刷シートから剥離紙を容易に剥離することができる。
【０００５】
【特許文献１】
特開平１１−２７７８２４号公報
【０００６】
【発明の解決しようとする課題】
しかしながら、前述したラベルテープにはラベル領域の被印刷シートを剥離紙から剥離するための切断ラインが予め形成されているため、容易に剥離するためのハーフカットをラベルテープに施す必要がない。にもかかわらず印刷装置にハーフカットを行う設定がされていれば必要のないハーフカット動作を行ってしまうという問題点があった。
【０００７】
そこで本発明は、必要のないハーフカット動作を行わないテープ印刷装置、及びプログラムを提供することを目的とする。
【０００８】
【課題を解決するための手段及び発明の効果】
上記目的を達成するために請求項１に記載のテープ印刷装置は、長尺テープ状の印刷媒体として、長尺の支持テープ上に印刷対象であるラベル領域が前記支持テープの長手方向に複数配列されたラベルテープと、長尺テープ状の受像媒体の任意の位置に印刷可能なノーマルテープとが使用可能なテープ印刷装置であって、前記印刷媒体に対して印刷される面の側から施されるハーフカット位置を記憶するためのハーフカット位置記憶手段と、使用中の前記印刷媒体の種類を判断するための判断手段と、使用中の前記印刷媒体が前記ラベルテープであると前記判断手段が判断した場合には、前記ハーフカット位置記憶手段の記憶内容に関係なく、前記ラベルテープに対して前記印刷される面の側からハーフカットが施されるのを禁止するためのハーフカット禁止手段とを備えていることを特徴とする。
【０００９】
請求項４に記載のプログラムは、長尺テープ状の印刷媒体として、長尺の支持テープ上に印刷対象であるラベル領域が前記支持テープの長手方向に複数配列されたラベルテープと、長尺テープ状の受像媒体の任意の位置に印刷可能なノーマルテープとが使用可能なテープ印刷装置を、前記印刷媒体に対して印刷される面の側から施されるハーフカット位置を記憶するためのハーフカット位置記憶手段、使用中の前記印刷媒体の種類を判断するための判断手段、及び、使用中の前記印刷媒体が前記ラベルテープであると前記判断手段が判断した場合には、前記ハーフカット位置記憶手段の記憶内容に関係なく、前記ラベルテープに対して前記印刷される面の側からハーフカットが施されるのを禁止するためのハーフカット禁止手段として機能させることを特徴とする。
【００１０】
請求項１、請求項４によると、使用中の印刷媒体がラベルテープの場合には、ハーフカット位置記憶手段の記憶内容に関係なく必要のないハーフカット動作を行わないようにすることができる。
【００１１】
請求項２に記載のテープ印刷装置は、使用中の前記印刷媒体が前記ラベルテープであると前記判断手段が判断するか否かに関係なく、前記ハーフカット位置記憶手段への新たなハーフカット位置の書き込みを可能とするためのハーフカット追加手段をさらに備えていることを特徴とする。
請求項５に記載のプログラムは、テープ印刷装置を、使用中の前記印刷媒体が前記ラベルテープであると前記判断手段が判断した場合には、前記ハーフカット位置記憶手段への新たなハーフカット位置の書き込みを不能にするためのハーフカット追加不能手段としてさらに機能させることを特徴とする
【００１２】
請求項２、請求項５によると、使用中の印刷媒体がラベルテープか否かに関係なくハーフカット位置を追加することができるため、ラベルテープとノーマルテープとに使用される印刷データの共通化を図ることができる。また、操作手順に変更がないためユーザが混乱することがなくなる。
【００１３】
請求項３に記載のテープ印刷装置は、使用中の前記印刷媒体が前記ラベルテープであると前記判断手段が判断した場合には、前記ハーフカット位置記憶手段への新たなハーフカット位置の書き込みを不能にするためのハーフカット追加不能手段をさらに備えていることを特徴とする。
請求項６に記載のプログラムは、テープ印刷装置を、使用中の前記印刷媒体が前記ラベルテープであると前記判断手段が判断した場合には、前記ハーフカット位置記憶手段への新たなハーフカット位置の書き込みを不能にするためのハーフカット追加不能手段としてさらに機能させることを特徴とする。
【００１４】
請求項３、請求項６によると、使用中の印刷媒体がラベルテープの場合にはハーフカット位置を追加することができないため、ユーザが必要のない操作をしないようにすることができる。
【００１５】
なお、請求項４から６に記載されているプログラムは、ＣＤ−ＲＯＭ、ＭＯなどのリムーバブル型記録媒体やハードディスク等の固定型記録媒体に記録して配布可能である他、有線又は無線の電気通信手段によってインターネットなどの通信ネットワークを介して配布可能である。
【００１６】
【発明の実施の形態】
＜第１の実施の形態＞
以下、本発明に係る第１の実施の形態について図面を参照しつつ説明する。図１は、本実施の形態に係るテープ印刷装置１の外観図である。図１に示すように、テープ印刷装置１の前部の表面にはディスプレイ２とキーボード３とが配置されている。テープ印刷装置１の後部には開閉可能なカバーが設けられ、その内側には印刷ヘッド４（図３参照）を備えたカセット装着部７（図４参照）とが配置されている。
【００１７】
テープ印刷装置１の被印刷媒体である印刷テープ１０は、表面側に文字や記号が印刷される被印刷面を有し、裏面側に粘着材層を有する長尺テープ状の印刷媒体である被印刷シートと、シリコーン樹脂等により処理された離型性表面を有する剥離シートとを、剥離可能な積層させたものである。印刷テープ１０は、ロール状に巻き回された状態でテープカセット８に収納され、このテープカセット８はテープ印刷装置１にカセット装着部７により着脱自在に装着される。印刷テープ１０はこのテープ印刷装置１の内部でテープカセット８から引き出されて印刷された後に適切な長さで切断される。切断された印刷テープ１０は被印刷シートから剥離シートを剥離されることにより、所望の物品に貼り付け可能なラベルとして用いることができる。
【００１８】
次に、印刷テープ印刷装置１で使用される印刷テープ１０の一つであるラベルテープ１１について図２を参照しつつ説明する。図２は、ラベルテープ１１を印刷面側から見た外観図である。ラベルテープ１１は印刷テープ１０の表面に被印刷面を有し、裏面に粘着剤層を有する被印刷シートと、離型性表面を有する剥離シートとが剥離可能に重ね合わされ、前記被印刷シートは、四隅を曲線状に面取りした矩形状等の所定の平面形状を有するラベル領域１２と周囲領域１３とを有し、ラベル領域１２と周囲領域１３との間には切断ライン１４によりお互いが分離可能に切断されている。ラベル領域１２は、剥離シートから剥離して目的物に貼り付けることによりラベルとして使用することができる。尚、ラベル領域１２は矩形状のものだけでなく、円形状のものなど様々な形状のものがある。
【００１９】
次にテープ印刷装置１の構成について図３を参照しつつ説明する。図３は、テープ印刷装置１の構成を示すブロック図である。テープ印刷装置１は、ディスプレイ２と、キーボード３と、印刷ヘッド４と、制御部６と、図示しないカセット装着部７とを有している。ディスプレイ２は、周知の液晶ディスプレイから構成される。
【００２０】
キーボード３は、テープ印刷装置１の表面に配置され、印刷しようとする文字の入力を行うテキストキー及び決定キー、カーソルの移動を行うカーソルキー、テープ印刷装置１の各種機能を呼び出す機能割付けキー（印刷キー、カット設定キー等）から構成される。
【００２１】
印刷ヘッド４は、カセット装着部７内に設けられ、テープカセット８の側面に設けられたテープ露出部に対応する位置に配置されている。印刷ヘッド４には、制御部６により電気的にコントロールされる発熱素子が印刷テープ１０の幅方向（印刷テープの長手方向に対して垂直の方向）に沿って多数配置されている。
【００２２】
制御部６は、ＣＰＵ（Ｃｅｎｔｒａｌ  Ｐｒｏｃｅｓｓｉｎｇ  Ｕｎｉｔ）６１と、ＲＯＭ（Ｒｅａｄ  Ｏｎｌｙ  Ｍｅｍｏｒｙ）６２と、ＲＡＭ（Ｒａｎｄｏｍ  Ａｃｃｅｓｓ  Ｍｅｍｏｒｙ）６３と、データバス６５と、インターフェースユニット６６とから構成される。ＣＰＵ６１は、各種コマンドに従って演算処理を行う中央演算処理装置である。ＲＯＭ６２は、ＣＰＵ６１により、図３の各機能部を実行し、図６から図８及び図１０のフローチャートを動作させるための演算プログラムが格納されている不揮発性の読出し専用メモリである。ＲＡＭ６３は、ＣＰＵ６１がプログラムを実行する際に使用するデータを一時記憶するための揮発性のメモリである。
【００２３】
インターフェースユニット６６は、モジュールとして分離された装置と制御部６を直接的、間接的に電気的接続する接続部である。また、データバス６５は、ＣＰＵ６１と、ＲＯＭ６２と、ＲＡＭ６３と、インターフェースユニット６６とを、それぞれ電気的に接続するデータ転送用ライン群である。制御部６内の全ての転送データはデータバス６５を介して転送される。
【００２４】
次に、テープ印刷装置１の印刷機構について図４を参照しつつ説明する。図４はテープ印刷装置１内部のカセット装着部７を拡大して示す平面図である。テープカセット８は、テープ印刷装置１内のカセット装着部７に着脱自在に装着される。また、テープカセット８は、上方が開放された箱型の下側部材８０の上方に図示しない上側部材を互いに組み付けて構成されており、下側部材８０の内部には第１スプール８２と、第２スプール８３と、第３スプール８４と、プラテンローラ８５と、圧着ローラ８６と、搬送ローラ８７とが設けられている。搬送ローラ８７は、テープカセット８がカセット装着部７に装着された際に、当該カセット装着部７に配置された図示しない駆動モータとの間で回転駆動力伝達経路が形成されるように配置される。下側部材８０の内側には、テープカセット８をカセット装着部７に装着した際に印刷ヘッド４を収容するための中空部であるヘッド収容部８９が形成されている。印刷ヘッド４は、テープカセット８を装着すると、ヘッド収容部８９内に挿入され、かつプラテンローラ８５と接する位置に配置される。印刷テープ１０は、ロール状に巻回された状態で第１スプール８２に組み付けられている。印刷テープ１０には、その幅やラベル領域の形状が異なる複数の種類が存在する。
【００２５】
テープカセット８の下側部材８０の外側底面には、２つの孔８８が施されている。本実施の形態ではテープの種類判別の箇所は４つであり、そのうち中央の２箇所のみに孔８８が施され、両側２箇所には孔が施されていない。したがって、テープカセット８をテープ装着部７に装着すると、テープ装着部７内側底面に設けられた図示しないテープ種類検出装置に備えられた４つのピンのうち、中央の２つはテープカセット８底面に施された２つの孔８８に貫挿されるが、両側の２つはバネの弾性力に抗してテープカセット８の底面により押圧される。なお、テープカセット８に施される孔８８の配置パターン、即ち４箇所に孔８８を施すか施さないかの組み合わせはテープの種類毎に異なる。後述するテープ種判断部１０３は各ピンが押圧されたか否かを検出することによって、装着されているテープカセット８の種類を判別し、これによって、装着されている印刷テープ１０の種類を判断する。
【００２６】
テープカセット８がテープ装着部７に装着されている場合に、図示しない駆動モータが回転すると、駆動モータと接続されている搬送ローラ８７が図４の矢印で示すように時計回りに回転する。そしてテープカセット８の第１スプール８２に巻回された印刷テープ１０は、搬送ローラ８７の回転により生じた駆動力によって巻き解かれつつ、図４の矢印で示す方向に搬送される。第１スプール８２から巻き解かれた印刷テープ１０は、第２スプール８３及び第３スプール８４に案内されつつ、プラテンローラ８５により印刷ヘッド４と圧接し、圧着ローラ８６は搬送ローラ８７と圧接する。
【００２７】
このようにして、プラテンローラ８５と印刷ヘッド４とによって挟持された状態で印刷テープ１０が搬送されつつ、印刷ヘッド４に配設された発熱素子に選択的且つ間欠的に通電されることにより所望の画像が形成される。そして所望の画像が形成された後、印刷テープ１０は上述のように互いに圧接された搬送ローラ８７と圧着ローラ８６との間を通過し外部に排出される。外部に排出された印刷テープ１０は、排出口近傍に備えられたテープカッタ７１により所望の位置でカットを施される。
【００２８】
次に、テープ印刷装置１の各機能部の構成について図３を参照しつつ説明する。テープ印刷装置１は、ＲＡＭ６３によって構成される文字列記憶部（文字列記憶手段）９１と、カット位置記憶部（カット位置記憶手段）９２と、ＣＰＵ６１によって構成されるカット実行部（カット実行手段）１０１と、カット位置追加部（ハーフカット追加手段を含む）１０２と、テープ種判断部（判断手段）１０３と、ハーフカット禁止部（ハーフカット禁止手段）１０４とを有している。
【００２９】
文字列記憶部９１は、ＲＡＭ６３上に構成され、ユーザによりキーボード３から入力された印刷対象となる文字列データを記憶するものである。文字列データは各文字データにより構成され、各文字データはＲＯＭ６２に記憶されているフォントデータに対応したテキストコードと、文字の修飾内容や文字サイズ等を示すデータとから構成される。
【００３０】
カット位置記憶部９２は、ＲＡＭ６３上に構成され、印刷テープ１０に対してカットが施される位置を記憶するものである。印刷テープに施されるカットにはフルカットと、ハーフカットとがある。フルカットは剥離シート及び被印刷シートに対してカットを施す作業である。ハーフカットは印刷テープ１０の被印刷シートのみに対してカットを施す作業である。フルカットを施す位置をフルカット位置、ハーフカットを施す位置をハーフカット位置としてカット位置追加部１０２によりカット位置記憶部９２に記憶される。
【００３１】
カット実行部１０１は、カッター７１により印刷テープ１０に対してフルカットまたはハーフカットを施させるものである。フルカットまたはハーフカットは、カット位置記憶部９２に記憶されているフルカット位置及びハーフカット位置に基づいてなされる。
具体的には、印刷実行時に印刷ヘッド４により印刷テープ１０上に所望の文字列の画像が形成された後に、カット位置記憶部９２に記憶されている印刷テープ１０上のフルカット位置またはハーフカット位置がテープカッタ７１の位置にまで到達するように印刷テープ１０を搬送させた後にテープカッタ７１によりフルカットまたはハーフカットを施させる。
【００３２】
カット位置追加部１０２は、ユーザの操作に基づいてフルカット位置及びハーフカット位置をカット位置記憶部９２に記憶させるものである。カット位置追加部１０２によるフルカット位置及びハーフカット位置の記憶方法について図５を参照しつつ説明する。図５は、カット位置記憶部９２にフルカット位置及びハーフカット位置を記憶させる際に表示されるカット位置設定画面１１０の外観図である。キーボード３の機能割付けキーの一つであるカット設定キーを押下することによりディスプレイ２に図５（ａ）〜（ｄ）に示すカット位置設定画面１１０が表示される。そしてカーソルキーを押下する毎に、位置設定画面１１０の設定内容が図５（ａ）〜（ｄ）の順に変更される。
【００３３】
カット位置設定画面１１０は、フルカット位置及びハーフカット位置の設定内容を図示しており、図５（ａ）は、印刷される文字列間にフルカットを施す設定内容を、図５（ｂ）は、印刷される文字列間にハーフカットを施す設定内容を、図５（ｃ）は、印刷される文字列の一端にハーフカットを施し、他端にフルカットを施す設定内容を、図５（ｄ）は、ハーフカット及びフルカットを施さない設定内容を夫々示している。
ユーザは、カーソルキーを押下することにより希望する設定内容の位置設定画面１１０をディスプレイ２に表示させ、さらに決定キーを押下することによって設定内容が確定する。設定内容が確定すると文字列記憶部９１に記憶されている文字列に対応したハーフカット位置及びフルカット位置が夫々カット位置記憶部９２に記憶される。
【００３４】
テープ種判断部１０３は、カセット装着部７に装着されたテープカセット８に収納されている印刷テープ１０の種類を判断するものである。テープカセット８は下側部材８０の外側底面に施された複数の孔８８の配置パターンにより収納している印刷テープ１０の種類を示している。印刷テープ１０の種類を判断は、テープ装着部７内側底面に設けられたテープ種類検出装置に備えられた４つのピンにより孔８８の配置パターンを認識することで判断される。
【００３５】
ハーフカット禁止部１０４は、テープ種判断部１０３によりカセット装着部７に装着されているテープカセット８の収納されている印刷テープ１０がラベルテープ１１と判断された場合に、カット実行部１０１がラベルテープ１１に対してハーフカットを施させることを禁止するものである。ハーフカット禁止部１０４は、カット位置記憶部９２にハーフカット位置が記憶されている場合であっても、記憶内容を無視してハーフカットを施させることを禁止する。
【００３６】
次に、テープ印刷装置１の処理手順について、図面を参照しつつ説明する。まず、テープ印刷装置１の全体の処理手順について図６を参照しつつ説明する。図６はテープ印刷装置１の全体の処理手順を示すフローチャートである。
電源投入により制御装置が動作開始となる。まず、ステップＳ１０（以下、Ｓ１０と略す。他のステップも同様）に移行し、テープ印刷装置１全体の初期化を行う。具体的には、ＣＰＵ６１、ＲＡＭ６３及びインターフェース６６の動作チェックや初期化を行い、更にインターフェース６６に接続されているディスプレイ２や印刷ヘッド４の動作チェックやハードウェアの初期化を行う、異常がなければ、ＲＡＭ６３に格納するデータや各部機能の初期化を行う。これらが完了すればディスプレイ２に操作画面を表示させる。
【００３７】
その後、Ｓ１１に移行し、ユーザによりキーボード３からキー入力がされたか否かを判断する。ユーザはディスプレイ２に表示された表示画面を見ながらキーボード３によりキー入力を行うことで、文字列記憶部９１に記憶される文字列の文字入力や、テープ印刷装置１の操作が可能となる。テープ印刷装置１は、初期化完了時には文字列の入力が可能な状態で待機しており、ユーザは対象印刷となる文字列をキーボード３に配置されるテキストキーで入力することができる。また、入力待機状態においても印刷キー等の各機能を呼び出す機能割付けキーを入力することで各機能を呼び出すことができる。ユーザによりキーが入力された場合には（Ｓ１１：ＹＥＳ）、入力されたキーのキーコードをＲＡＭ６３の作業エリアに記憶してＳ１２に移行する。ユーザによりキーが入力されていない場合には（Ｓ１１：ＮＯ）、再びＳ１１に移行してユーザによるキー入力を待機する。
【００３８】
Ｓ１２では、ＲＡＭ６３の作業エリアに記憶されているＳ１１において入力されたキーのキーコードから、入力されたキーがテキストキーか否かを判断する。Ｓ１１において入力されたキーがテキストキーである場合には（Ｓ１２：ＹＥＳ）、Ｓ１３に移行して入力編集処理を行う。ここで入力編集処理とは、Ｓ１１において記憶されているキーコードからキーコードに対応しているテキストコードを導出し、そのテキストコードを文字データとして文字列記憶部９１に格納する作業である。入力編集処理が完了すると、再びＳ１１に移行してユーザによるキー入力があるまで待機する。Ｓ１１において入力されたキーがテキストキーでない場合には（Ｓ１２：ＮＯ）、Ｓ１４に移行する。
【００３９】
Ｓ１４では、Ｓ１１において入力されたキーがカット設定キーか否かを判断する。Ｓ１１において入力されたキーがカット設定キーである場合には（Ｓ１４：ＹＥＳ）、Ｓ１５に移行して後述するカット位置設定を行う（図７参照）。カット位置の設定が完了すると、再びＳ１１に移行してユーザによるキー入力があるまで待機する。Ｓ１１において入力されたキーがカット設定キーでない場合には（Ｓ１４：ＮＯ）、Ｓ１６に移行する。
【００４０】
Ｓ１６では、Ｓ１１において入力されたキーが印刷キーか否かを判断する。Ｓ１１において入力されたキーが印刷キーである場合には（Ｓ１６：ＹＥＳ）、Ｓ１７に移行して後述する印刷処理を行う（図８参照）。印刷処理が完了すると、再びＳ１１に移行してユーザによるキー入力があるまで待機する。Ｓ１１において入力されたキーが印刷キーでない場合には（Ｓ１６：ＮＯ）、Ｓ１８に移行する。
【００４１】
Ｓ１８では、その他の処理を実行する。その他の処理には上記以外の機能呼び出しキーに対する各処理やカーソルキーの処理等が含まれる。その他の処理が完了すると、再びＳ１１に移行してユーザによるキー入力があるまで待機する。制御システムの終了は、テープ印刷装置１の電源スイッチを「ＯＦＦ」にすることで実現される。
【００４２】
次に、図６のフローチャートにおけるＳ１５のカット位置設定の処理手順について、図７を参照しつつ説明する。図７は、カット位置設定の処理手順を示すフローチャートである。まず、Ｓ３０に移行し、カット位置追加部１０２によりディスプレイ２上に位置設定画面１１０を表示し、ユーザの操作に基づいてフルカット位置及びハーフカット位置をカット位置記憶部９２に記憶させる（図５参照）。フルカット位置及びハーフカット位置をカット位置記憶部９２に記憶させればカット位置設定を終了する。その後、図７のフローチャートを終了し、図６のフローチャートのＳ１１に移行し、ユーザによるキー入力があるまで待機する。
【００４３】
次に、図６のフローチャートにおけるＳ１７の印刷処理の処理手順について、図８を参照しつつ説明する。図８は、印刷処理についての処理手順を示すフローチャートである。まず、Ｓ４０に移行し、テープ種判断部１０３によりカセット装着部７にテープカセット８が装着されているか否かを判断する。カセット装着部７にテープカセット８が装着されていないと判断された場合には（Ｓ４０：ＮＯ）、Ｓ４１に移行し、カセット装着部７にテープカセット８の装着を促すメッセージをディスプレイ２に表示させる。その後、再びＳ４０に移行し、テープカセット８がカセット装着部７に装着されるまで繰り返す。カセット装着部７にテープカセット８が装着されている場合には（Ｓ４０：ＹＥＳ）、Ｓ４２に移行し、さらにテープ種判断部１０３によりカセット装着部７に装着されているテープカセット８に収納されている印刷テープ１０の種類を検出する。
【００４４】
その後、Ｓ４３に移行し、Ｓ４２において検出された印刷テープ１０の種類がラベルテープ１１か否かを判断する。検出された印刷テープ１０の種類がラベルテープ１１でない場合には（Ｓ４３：ＮＯ）、Ｓ４４に移行し、文字列記憶部９１に記憶されている文字列の印刷イメージを発生させて印刷を実行する。ここで印刷イメージの発生とは、文字列記憶部９１に記憶されている文字のキャラクタデータと、設定された文字サイズと、フォント形状と、太文字や斜体等の文字装飾やフレーム枠等の行修飾の有無とに基づいて、ＲＡＭ６３の作業エリア上に実際の印刷状態に即したドットパターンデータとして展開する作業である。発生された印刷イメージに基づいて印刷ヘッド４にデータが転送され、印刷ヘッド４の発熱素子により印刷テープ１０上に所望の文字列画像が形成される。
【００４５】
そして、カット位置記憶部９２にフルカット位置またはハーフカット位置が記憶されている場合には、印刷テープ１０上に所望の文字列画像が形成された後に、カット実行部１０１が、カット位置記憶部９２に記憶されている印刷テープ１０上のフルカット位置またはハーフカット位置がテープカッタ７１の位置にまで到達するように印刷テープ１０を搬送させた後にテープカッタ７１によりフルカットまたはハーフカットを施させる。その後、図８のフローチャートを終了し、図６のフローチャートのＳ１１に移行し、ユーザによるキー入力があるまで待機する。
【００４６】
Ｓ４２において、検出された印刷テープ１０の種類がラベルテープ１１である場合には（Ｓ４３：ＹＥＳ）、Ｓ４５に移行し、文字列記憶部９１に記憶されている文字列の印刷イメージを発生させて印刷を実行する。
そして、カット位置記憶部９２にフルカット位置が記憶されている場合には、印刷テープ１０上に所望の文字列画像が形成された後に、カット実行部１０１が、カット位置記憶部９２に記憶されている印刷テープ１０上のフルカット位置がテープカッタ７１の位置にまで到達するように印刷テープ１０を搬送させた後にテープカッタ７１によりフルカットを施させる。
そして、カット位置記憶部９２にハーフカット位置が記憶されている場合には、ハーフカット禁止部１０４によりカット実行部１０１がハーフカットを施させるのを禁止する。その後、図８のフローチャートを終了し、図６のフローチャートのＳ１１に移行し、ユーザによるキー入力があるまで待機する。
【００４７】
以上、説明したように、本発明の第１の実施の形態によると、カセット装着部７に装着されているテープカセット８の収納されている印刷テープ１０がラベルテープ１１の場合には、ハーフカット禁止部１０４によりラベルテープ１１に対してハーフカットを施すことがなくなるため、必要のないハーフカットを施さないようにすることができる。
【００４８】
また、カセット装着部７に装着されているテープカセット８に収納されている印刷テープ１０がラベルテープ１１の場合であっても、カット位置追加部１０２によりハーフカット位置をカット位置記憶部９２に記憶することができるため、ノーマルテープとラベルテープ１１とでハーフカット位置の設定を変更する必要がなくデータの共有化を図ることができる。
【００４９】
また、カセット装着部７に装着されているテープカセット８に収納されている印刷テープ１０がラベルテープ１１の場合であっても、カット位置設定の操作手順が同一であるためにユーザが混乱することがなくなる。
【００５０】
＜第２の実施の発明＞
次に、本発明の第２の実施の形態について説明する。第２の実施の形態は、テープ印刷装置１Ａの各機能部の構成及びカット位置設定の処理手順以外は、第１の実施の形態と実質的に同等であり、第１の実施の形態に係るテープ印刷装置１の各機能部の構成及びカット位置設定の処理手順以外の説明が適用できるため詳細は省略する。
【００５１】
テープ印刷装置１Ａの各機能部の構成について図９を参照しつつ説明する。テープ印刷装置１は、ＲＡＭ６３によって構成される文字列記憶部（文字列記憶手段）９１と、カット位置記憶部（カット位置記憶手段）９２と、ＣＰＵ６１によって構成されるカット実行部（カット実行手段）１０１と、カット位置追加部１０２と、テープ種判断部（判断手段）１０３と、ハーフカット禁止部（ハーフカット禁止手段）１０４と、ハーフカット位置追加禁止部（ハーフカット追加不能手段）１０５とを有している。
【００５２】
ハーフカット位置追加禁止部１０５以外の各機能部は第１の実施の形態に係る各機能部と実質的に同等であり、第１の実施の形態に係る各機能部の説明が適用できるため詳細は省略する。
【００５３】
ハーフカット位置追加禁止部１０５は、テープ種判断部１０３により装着されている印刷テープ１０がラベルテープ１１と判断された場合に、カット位置追加部１０２によりハーフカット位置をカット位置記憶部９２に記憶させることを禁止するものである。
具体的には、カット位置設定画面１１０において、図５（ａ）に示す印刷される文字列間にフルカットを施す設定内容、及び図５（ｄ）に示すハーフカット及びフルカットを施さない設定内容のみが表示されるようにする。これによりユーザはハーフカットを施す設定内容を選択することができなくなり、カット位置追加部１０２によりハーフカット位置をカット位置記憶部９２に記憶させることがなくなる。
【００５４】
次に、図６のフローチャートにおけるＳ１５のカット位置設定の処理手順について、図１０を参照しつつ説明する。図１０は、カット位置設定の処理手順を示すフローチャートである。まず、Ｓ５０に移行し、テープ種判断部１０３により、カセット装着部７に装着されているテープカセット８に収納されている印刷テープ１０の種類を検出する。その後、Ｓ５１に移行し、Ｓ５０において検出された印刷テープ１０の種類がラベルテープ１１であるか否かを判断する。検出された印刷テープ１０の種類がラベルテープ１１でない場合には（Ｓ５１：ＮＯ）、Ｓ５２に移行し、カット位置追加部１０２によりディスプレイ２上に位置設定画面１１０を表示し、ユーザの操作に基づいてフルカット位置及びハーフカット位置をカット位置記憶部９２に記憶させる（図５参照）。フルカット位置及びハーフカット位置をカット位置記憶部９２に記憶させればカット位置設定を終了する。その後、図７のフローチャートを終了し、図６のフローチャートのＳ１１に移行し、ユーザによるキー入力があるまで待機する。
【００５５】
検出された印刷テープ１０の種類がラベルテープ１１である場合には（Ｓ５１：ＹＥＳ）、Ｓ５３に移行し、ハーフカット位置追加禁止部１０５によりカット位置追加部１０２によりハーフカット位置をカット位置記憶部９２に記憶させることを禁止するため、カット位置追加部１０２によりディスプレイ２上にフルカットの設定内容を示す位置設定画面１１０を表示し、ユーザの操作に基づいてフルカット位置のみをカット位置記憶部９２に記憶させる（図５（ａ）参照）。フルカット位置をカット位置記憶部９２に記憶させればカット位置設定を終了する。その後、図７のフローチャートを終了し、図６のフローチャートのＳ１１に移行し、ユーザによるキー入力があるまで待機する。
【００５６】
以上、説明したように、本発明の第２の実施の形態によると、カセット装着部７に装着されているテープカセット８の収納されている印刷テープ１０がラベルテープ１１の場合には、ハーフカット禁止部１０４によりラベルテープ１１に対してハーフカットを施すことがなくなるため、必要のないハーフカットを施さないようにすることができる。
【００５７】
また、カセット装着部７に装着されているテープカセット８の収納されている印刷テープ１０がラベルテープ１１の場合には、ハーフカット位置追加禁止部１０５によりラベルテープ１１に対するハーフカット位置の設定を禁止するため、ユーザが必要のない操作をしないようにすることができる。
【００５８】
以上、本発明の好適な実施の形態について説明したが、本発明は上述の実施の形態に限られるものではなく、特許請求の範囲に記載した限りにおいて様々な設計変更が可能なものである。例えば、第１及び第２の実施の形態では、ユーザが希望するハーフカット位置を設定することができる構成であるが、このような構成に限定されるものではなく、所定のハーフカット位置が設定されるのみでユーザが希望するハーフカット位置を設定することができない構成でもよい。
【００５９】
また、第１及び第２の実施の形態では、印刷テープに文字列を印刷するためのテープ印刷装置として構成されたものであるが、このような構成に限定されるものではなく、文字列以外の画像を印刷することができるテープ印刷装置として構成されたものでもよい。
【００６０】
また、第１及び第２の実施の形態では、テープ印刷装置がスタンドアローン型として構成されたものであるが、このような構成に限定されるものではなく、テープ印刷装置の制御部またはその一部を、テープ印刷装置接続されるパーソナルコンピュータ上で機能するプログラムにより実現する構成でもよいし、パーソナルコンピュータ以外の装置に制御部またはその一部を組み込むような構成でもよい。
【図面の簡単な説明】
【図１】本発明の一実施の形態に係るテープ印刷装置の外観図である。
【図２】図１に示すテープ印刷装置により印刷可能なラベルテープを印刷面側から見た外観図である。
【図３】図１に示すテープ印刷装置の内部構成を示すブロック図である。
【図４】図１に示すテープ印刷装置のカセット装着部を示す平面図である。
【図５】図１に示すテープ印刷装置のカット設定画面の外観図である。
【図６】図１に示すテープ印刷装置における全体の処理手順を示すフローチャートである。
【図７】図１に示すテープ印刷装置における印刷処理の処理手順を示すフローチャートである。
【図８】図１に示すテープ印刷装置におけるカット位置設定の処理手順を示すフローチャートである。
【図９】第２の実施の形態に係るテープ印刷装置の内部構成を示すブロック図である。
【図１０】第２の実施の形態に係るテープ印刷装置におけるカット位置設定の処理手順を示すフローチャートである。
【符号の説明】
１    テープ印刷装置
２    ディスプレイ
３    キーボード
６    制御部
８    テープカセット
１０    印刷テープ
１１    ラベルテープ
１０１  カット実行部
１０２  カット位置追加部
１０４  ハーフカット禁止部
１０５  ハーフカット位置追加禁止部
【図１】
2004291533.tif 000003
【図２】
2004291533.tif 000004
【図３】
2004291533.tif 000005
【図４】
2004291533.tif 000006
【図５】
2004291533.tif 000007
【図６】
2004291533.tif 000008
【図７】
2004291533.tif 000009
【図８】
2004291533.tif 000010
【図９】
2004291533.tif 000011
【図１０】
2004291533.tif 000012